【手続補正書】
【提出日】平成16年6月21日(2004.6.21)
【手続補正１】
【補正対象書類名】明細書
【補正対象項目名】発明の名称
【補正方法】変更
【補正の内容】
【発明の名称】電源制御装置、負荷試験方法及び電子機器
【手続補正２】
【補正対象書類名】明細書
【補正対象項目名】特許請求の範囲
【補正方法】変更
【補正の内容】
【特許請求の範囲】
【請求項１】
電源回路の出力電圧を検出する出力電圧検出手段と、基準電圧を供給する内蔵基準電圧源とを含み、前記出力電圧検出手段により検出された出力電圧と内蔵基準電圧源から供給された基準電圧とを対比するとともに、この対比の結果に基づいて、前記電源回路の出力電圧を一定に制御する制御信号を出力する電源制御装置において、
外部から入力される外部基準電圧のディジタルデータをアナログの外部基準電圧に変換するディジタル・アナログ変換器と、前記出力電圧検出手段により検出された出力電圧と対比すべき電圧として、前記内蔵基準電圧源から供給される基準電圧と前記ディジタル・アナログ変換器により変換された前記外部基準電圧との一方を選択するセレクタとを備えることを特徴とする電源制御装置。
【請求項２】
前記外部基準電圧の印加有無を検出する外部入力検出手段をさらに備え、前記セレクタは、前記外部入力検出手段の検出結果に基づいて、前記基準電圧と前記外部基準電圧との一方を選択することを特徴とする請求項１に記載の電源制御装置。
【請求項３】
前記外部入力検出手段は、前記ディジタル・アナログ変換器により変換された前記アナログの外部基準電圧を検出し、前記セレクタは、前記外部入力検出手段の検出結果に基づいて、前記基準電圧と前記外部基準電圧との一方を選択することを特徴とする請求項２に記載の電源制御装置。
【請求項４】
前記外部入力検出手段は、前記ディジタル・アナログ変換器に入力される前記外部基準電圧のディジタルデータを検出し、前記セレクタは、前記外部入力検出手段の検出結果に基づいて、前記基準電圧と前記外部基準電圧との一方を選択することを特徴とする請求項２に記載の電源制御装置。
【請求項５】
前記外部基準電圧のディジタルデータは、前記セレクタの選択動作用データを含み、前記セレクタは、前記セレクタの選択動作用データを検出するとともに、このセレクタの選択動作用データに基づいて、前記内蔵基準電圧源からの基準電圧と前記ディジタル・アナログ変換器により変換された前記外部基準電圧との一方を選択することを特徴とする請求項１に記載の電源制御装置。
【請求項６】
電源回路の出力電圧を検出し制御電圧を出力する出力電圧検出手段と、内部基準電圧を供給する内蔵基準電圧源と、外部から入力される外部基準電圧のディジタルデータをアナログの外部基準電圧に変換するディジタル・アナログ変換器と、前記制御電圧と対比する選択基準電圧として内蔵基準電圧源から供給される前記内部基準電圧と前記ディジタル・アナログ変換器によって変換された前記外部基準電圧との一方を選択するセレクタと、前記制御電圧と前記セレクタによって選択された前記選択基準電圧との対比結果に基づいて前記電源回路の出力電圧を前記選択基準電圧に応じた電圧に調整するための制御信号を生成する制御信号生成手段とを備える電源制御装置を用い、前記電源回路に接続された負荷の動作を試験する負荷試験方法であって、
前記負荷の動作を試験する際に、前記電源制御装置に外部から前記外部基準電圧のディジタルデータを入力するとともに、前記セレクタに前記外部基準電圧を前記選択基準電圧として選択させることによって、前記外部基準電圧に応じた電圧に調整された前記電源回路の出力電圧を前記負荷に供給することを特徴とする負荷試験方法。
【請求項７】
前記電源制御装置に前記外部基準電圧の印加有無を検出する外部入力検出手段を設け、前記セレクタが前記外部入力検出手段の検出結果に基づいて、前記外部基準電圧を前記選択基準電圧として選択するようにしたことを特徴とする請求項６に記載の負荷試験方法。
【請求項８】
前記外部入力検出手段が、前記ディジタル・アナログ変換器により変換された前記アナログの外部基準電圧を検出し、前記セレクタが、前記外部入力検出手段の検出結果に基づいて、前記外部基準電圧を前記選択基準電圧として選択するようにしたことを特徴とする請求項７に記載の負荷試験方法。
【請求項９】
前記外部入力検出手段が、前記ディジタル・アナログ変換器に入力される前記外部基準電圧のディジタルデータを検出し、前記セレクタが、前記外部入力検出手段の検出結果に基づいて、前記外部基準電圧を前記選択基準電圧として選択するようにしたことを特徴とする請求項７に記載の負荷試験方法。
【請求項１０】
前記外部基準電圧のディジタルデータが、前記セレクタの選択動作用データを含み、前記セレクタが、前記セレクタの選択動作用データを検出するとともに、このセレクタの選択動作用データに基づいて、前記ディジタル・アナログ変換器により変換された前記外部基準電圧を前記選択基準電圧として選択するようにしたことを特徴とする請求項６に記載の負荷試験方法。
【請求項１１】
前記外部基準電圧のディジタルデータを変化させることによって、前記負荷に供給する前記電源回路の出力電圧の値を変化させることを特徴とする請求項６〜１０のいずれかに記載の負荷試験方法。
【請求項１２】
電源回路の出力電圧を検出し制御電圧を出力する出力電圧検出手段と、内部基準電圧を供給する内蔵基準電圧源と、前記制御電圧と対比する選択基準電圧として前記内蔵基準電圧源から供給される前記内部基準電圧と外部から印加される外部基準電圧との一方を選択するセレクタと、前記制御電圧と前記セレクタによって選択された前記選択基準電圧との対比結果に基づいて前記電源回路の出力電圧を前記選択基準電圧に応じた電圧に調整するための制御信号を生成する制御信号生成手段とを、単一の集積回路内部に備えたことを特徴とする電源制御装置。
【請求項１３】
前記外部基準電圧の印加有無を検出する外部入力検出手段をさらに備え、前記セレクタは、前記外部入力検出手段の検出結果に基づいて、前記内部基準電圧と前記外部基準電圧との一方を選択することを特徴とする請求項１２に記載の電源制御装置。
【請求項１４】
電源回路の出力電圧を検出し制御電圧を出力する出力電圧検出手段と、内部基準電圧を供給する内蔵基準電圧源と、外部から入力される外部基準電圧のディジタルデータをアナログの外部基準電圧に変換するディジタル・アナログ変換器と、前記制御電圧と対比する選択基準電圧として前記内蔵基準電圧源から供給される前記内部基準電圧と前記ディジタル・アナログ変換器により変換された前記外部基準電圧との一方を選択するセレクタと、前記制御電圧と前記セレクタによって選択された前記選択基準電圧との対比結果に基づいて前記電源回路の出力電圧を前記選択基準電圧に応じた電圧に調整するための制御信号を生成する制御信号生成手段とを、単一の集積回路内部に備えたことを特徴とする電源制御装置。
【請求項１５】
前記外部基準電圧の印加有無を検出する外部入力検出手段をさらに備え、前記セレクタは、前記外部入力検出手段の検出結果に基づいて、
前記内部基準電圧と前記外部基準電圧との一方を選択することを特徴とする請求項１４に記載の電源制御装置。
【請求項１６】
前記外部入力検出手段は、前記ディジタル・アナログ変換器により変換された前記アナログの外部基準電圧を検出し、前記セレクタは、前記外部入力検出手段の検出結果に基づいて、前記内部基準電圧と前記外部基準電圧との一方を選択することを特徴とする請求項１５に記載の電源制御装置。
【請求項１７】
前記外部入力検出手段は、前記ディジタル・アナログ変換器に入力される前記外部基準電圧のディジタルデータを検出し、前記セレクタは、前記外部入力検出手段の検出結果に基づいて、前記内部基準電圧と前記外部基準電圧との一方を選択することを特徴とする請求項１５に記載の電源制御装置。
【請求項１８】
前記外部基準電圧のディジタルデータは、前記セレクタの選択動作用データを含み、前記セレクタは、前記セレクタの選択動作用データを検出するとともに、このセレクタの選択動作用データに基づいて、前記内蔵基準電圧源からの前記内部基準電圧と前記ディジタル・アナログ変換器により変換された前記外部基準電圧との一方を選択することを特徴とする請求項１４に記載の電源制御装置。
【請求項１９】
誤差増幅器の出力を用いてパルス幅変調制御方式により直流−直流変換の制御を行う直流−直流変換回路であって、
前記直流−直流変換回路の出力電圧を検出し制御電圧を出力する出力電圧検出手段と、
内部基準電圧を供給する内蔵基準電圧源と、
前記制御電圧と対比する選択基準電圧として前記内蔵基準電圧源から供給される前記内部基準電圧と外部から印加される外部基準電圧源との一方を選択するセレクタと、
前記制御電圧と前記セレクタによって選択された前記選択基準電圧とを入力する誤差増幅器と、
前記誤差増幅器の出力を用いて前記直流−直流変換回路の出力電圧を前記選択基準電圧に応じた電圧に調整するための制御信号を生成するＰＷＭ比較器とを、
備えたことを特徴とする直流−直流変換回路。
【請求項２０】
前記外部基準電圧の印加有無を検出する外部入力検出手段をさらに備え、前記セレクタは、前記外部入力検出手段の検出結果に基づいて、前記内部基準電圧と前記外部基準電圧との一方を選択することを特徴とする請求項１９に記載の直流−直流変換回路。
【請求項２１】
負荷と、
電源回路の出力電圧を検出する出力電圧検出手段と、基準電圧を供給する内蔵基準電圧源とを含み、前記出力電圧検出手段により検出された出力電圧と内蔵基準電圧源から供給された基準電圧とを対比するとともに、この対比の結果に基づいて、前記電源回路の出力電圧を一定に制御する制御信号を出力する電源制御装置と、
を備える電子機器において、
前記電源制御装置は、
外部から入力される外部基準電圧のディジタルデータをアナログの外部基準電圧に変換するディジタル・アナログ変換器と、
前記出力電圧検出手段により検出された出力電圧と対比すべき電圧として、前記内蔵基準電圧源から供給される基準電圧と前記ディジタル・アナログ変換器により変換された前記外部基準電圧との一方を選択するセレクタと、
を備えることを特徴とする電子機器。
【請求項２２】
前記電源制御装置は、前記外部基準電圧の印加有無を検出する外部入力検出手段をさらに備え、
前記セレクタは、前記外部入力検出手段の検出結果に基づいて、前記基準電圧と前記外部基準電圧との一方を選択することを特徴とする請求項２１に記載の電子機器。
【請求項２３】
前記外部入力検出手段は、前記ディジタル・アナログ変換器により変換された前記アナログの外部基準電圧を検出し、
前記セレクタは、前記外部入力検出手段の検出結果に基づいて、前記基準電圧と前記外部基準電圧との一方を選択することを特徴とする請求項２２に記載の電子機器。
【請求項２４】
前記外部入力検出手段は、前記ディジタル・アナログ変換器に入力される前記外部基準電圧のディジタルデータを検出し、
前記セレクタは、前記外部入力検出手段の検出結果に基づいて、前記基準電圧と前記外部基準電圧との一方を選択することを特徴とする請求項２２に記載の電子機器。
【請求項２５】
前記外部基準電圧のディジタルデータは、前記セレクタの選択動作用データを含み、
前記セレクタは、前記セレクタの選択動作用データを検出するとともに、このセレクタの選択動作用データに基づいて、前記内蔵基準電圧源からの基準電圧と前記ディジタル・アナログ変換器により変換された前記外部基準電圧との一方を選択することを特徴とする請求項２１に記載の電子機器。
【請求項２６】
負荷と電源制御装置を備える電子機器において、
前記電源制御装置は、単一の集積回路内部に、
電源回路の出力電圧を検出し制御電圧を出力する出力電圧検出手段と、
内部基準電圧を供給する内蔵基準電圧源と、
前記制御電圧と対比する選択基準電圧として前記内蔵基準電圧源から供給される前記内部基準電圧と外部から印加される外部基準電圧との一方を選択するセレクタと、
前記制御電圧と前記セレクタによって選択された前記選択基準電圧との対比結果に基づいて前記電源回路の出力電圧を前記選択基準電圧に応じた電圧に調整するための制御信号を生成する制御信号生成手段と、を備えた
ことを特徴とする電子機器。
【請求項２７】
前記電源制御装置は、前記外部基準電圧の印加有無を検出する外部入力検出手段をさらに備え、
前記セレクタは、前記外部入力検出手段の検出結果に基づいて、前記内部基準電圧と前記外部基準電圧との一方を選択することを特徴とする請求項２６に記載の電子機器。
【請求項２８】
負荷と電源制御装置を備える電子機器において、
前記電源制御装置は、単一の集積回路内部に、
電源回路の出力電圧を検出し制御電圧を出力する出力電圧検出手段と、
内部基準電圧を供給する内蔵基準電圧源と、
外部から入力される外部基準電圧のディジタルデータをアナログの外部基準電圧に変換するディジタル・アナログ変換器と、
前記制御電圧と対比する選択基準電圧として前記内蔵基準電圧源から供給される前記内部基準電圧と前記ディジタル・アナログ変換器により変換された前記外部基準電圧との一方を選択するセレクタと、前記制御電圧と前記セレクタによって選択された前記選択基準電圧との対比結果に基づいて前記電源回路の出力電圧を前記選択基準電圧に応じた電圧に調整するための制御信号を生成する制御信号生成手段と、を備えた
ことを特徴とする電子機器。
【請求項２９】
前記電源制御装置は、前記外部基準電圧の印加有無を検出する外部入力検出手段をさらに備え、
前記セレクタは、前記外部入力検出手段の検出結果に基づいて、前記内部基準電圧と前記外部基準電圧との一方を選択することを特徴とする請求項２８に記載の電子機器。
【請求項３０】
前記外部入力検出手段は、前記ディジタル・アナログ変換器により変換された前記アナログの外部基準電圧を検出し、
前記セレクタは、前記外部入力検出手段の検出結果に基づいて、前記内部基準電圧と前記外部基準電圧との一方を選択することを特徴とする請求項２９に記載の電子機器。
【請求項３１】
前記外部入力検出手段は、前記ディジタル・アナログ変換器に入力される前記外部基準電圧のディジタルデータを検出し、
前記セレクタは、前記外部入力検出手段の検出結果に基づいて、前記内部基準電圧と前記外部基準電圧との一方を選択することを特徴とする請求項２９に記載の電子機器。
【請求項３２】
前記外部基準電圧のディジタルデータは、前記セレクタの選択動作用データを含み、
前記セレクタは、前記セレクタの選択動作用データを検出するとともに、このセレクタの選択動作用データに基づいて、前記内蔵基準電圧源からの前記内部基準電圧と前記ディジタル・アナログ変換器により変換された前記外部基準電圧との一方を選択することを特徴とする請求項２８に記載の電子機器。
【請求項３３】
負荷と、誤差増幅器の出力を用いてパルス幅変調制御方式により直流−直流変換の制御を行う直流−直流変換回路を備えた電子機器において、
前記直流−直流変換回路は、
前記直流−直流変換回路の出力電圧を検出し制御電圧を出力する出力電圧検出手段と、
内部基準電圧を供給する内蔵基準電圧源と、
前記制御電圧と対比する選択基準電圧として前記内蔵基準電圧源から供給される前記内部基準電圧と外部から印加される外部基準電圧源との一方を選択するセレクタと、
前記制御電圧と前記セレクタによって選択された前記選択基準電圧とを入力する誤差増幅器と、
前記誤差増幅器の出力を用いて前記直流−直流変換装置の出力電圧を前記選択基準電圧に応じた電圧に調整するための制御信号を生成するＰＷＭ比較器とを、備えた
ことを特徴とする電子機器。
【請求項３４】
前記直流−直流変換回路は、前記外部基準電圧の印加有無を検出する外部入力検出手段をさらに備え、
前記セレクタは、前記外部入力検出手段の検出結果に基づいて、前記内部基準電圧と前記外部基準電圧との一方を選択することを特徴とする請求項３３に記載の電子機器。